(57)【要約】  【課題】送出通路内での商品詰まりを低減し、着脱自在によって外扉と収納装置のメンテナンスを容易に行うことができる自動販売機を提供することを目的とする。  【解決手段】自動販売機本体内に前後方向に引出し可能な外扉１と連動する複数段の収納装置１５と、外扉１と収納装置１５との間に収納装置１５に収納された商品１４を搬出する搬出通路１６と、外扉１の下部に備えた商品取出口９とを備え、搬出通路１６は商品取出口９の上面に連通し、搬出通路１６は着脱可能な搬出通路カバー１７で覆われるものである。【選択図】図１
2009266163.tif 000002
【特許請求の範囲】
【請求項１】
自動販売機本体内に前後方向に引出し可能な外扉と、前記外扉と連動する複数段の収納装置と、前記外扉と前記収納装置との間に前記収納装置に収納された商品を搬出する搬出通路と、前記外扉の下部に備えた商品取出口とを備えた自動販売機であって、前記搬出通路は前記商品取出口の上面に連通し、前記搬出通路は着脱可能な搬出通路カバーで覆われることを特徴とする自動販売機。
【請求項２】
搬出通路カバーは断面略コ字状に形成されていることを特徴とする請求項１に記載の自動販売機。
【請求項３】
商品取出口の前面開口部に上部を軸支され前記商品取出口内方向に開閉自在のフラップと、前記商品取出口スペースの背面となる後壁部とを備え、前記フラップが所定角度回動して開放された時、前記後壁部に前記フラップが接触して回動を阻止され、前記フラップによって前記商品取出口の上面が塞がれることを特徴とする請求項１または２に記載の自動販売機。
【請求項４】
自動販売機本体の上下位置には外扉が引出し可能にレールが形成され、前記レールは上位置の一側と下位置の他側とにのみ形成され、前記外扉が引出し可能に形成されていることを特徴とする請求項１から３のいずれか一項に記載の自動販売機。
【発明の詳細な説明】
【技術分野】
【０００１】
本発明は、収納装置を上下方向に複数段備えた自動販売機に関するものである。
【背景技術】
【０００２】
従来、複数段の収納装置を備えた自動販売機として、特許文献１に示されているものがある。
【０００３】
図４は特許文献１に記載された従来の自動販売機の断面図である。
【０００４】
本体２０の前面に扉体２１が開閉自在に設けられ、この扉体２１の中央には、内部の商品２２を見透かせる透明ガラス２３がはめ込まれ、下部に商品取出口２４が設けられている。また本体２０の内部には複数段の商品送出装置２５が設けられている。
【０００５】
そして商品送出装置（スパイラル）２６の回転によって、商品が前方に倒され送出される。
【特許文献１】特開平１１−２５０３４０号公報
【発明の開示】
【発明が解決しようとする課題】
【０００６】
しかしながら、上記従来の構成では、商品送出装置２６から送出された商品２５は落下時、扉体２１の下方の商品取出口２４のフランジ部に接触して引っ掛り、商品取出口２４内に搬出されないという課題がある。
【０００７】
また、商品取出口の上部に最下段の収納装置があるため、商品取出口に手を入れて送出通路を通って最下部の収納装置の商品を盗まれるという課題がある。
【０００８】
また、引き出し性を確保しながら、製造コストを安価にした仕様が望まれている。
【０００９】
本発明は、上記従来の課題を解決するもので、送出通路内での商品詰まりを低減し、着脱自在によって外扉と収納装置のメンテナンスを容易に行うことができ、そして製造コストを抑えた自動販売機を提供することを目的とする。
【課題を解決するための手段】
【００１０】
上記従来の課題を解決するために、本発明の自動販売機は、自動販売機本体内に前後方向に引出し可能な外扉と、前記外扉と連動する複数段の収納装置と、前記外扉と前記収納装置との間に前記収納装置に収納された商品を搬出する搬出通路と、前記外扉の下部に備えた商品取出口とを備えた自動販売機であって、前記搬出通路は前記商品取出口の上面に連通し、前記搬出通路は着脱可能な搬出通路カバーで覆われるものである。
【００１１】
これによって、搬出通路内での商品詰まりの低減およびメンテナンス性の向上を図ることができる。
【発明の効果】
【００１２】
本発明の自動販売機は、製造コストを低減するとともに、商品詰まり、メンテナンス性および防盗性を向上させた自動販売機を提供することができる
【発明を実施するための最良の形態】
【００１３】
請求項１に記載の発明は、自動販売機本体内に前後方向に引出し可能な外扉と、前記外扉と連動する複数段の収納装置と、前記外扉と前記収納装置との間に前記収納装置に収納された商品を搬出する搬出通路と、前記外扉の下部に備えた商品取出口とを備えた自動販売機であって、前記搬出通路は前記商品取出口の上面に連通し、前記搬出通路は着脱可能な搬出通路カバーで覆われるものであり、搬出通路内での商品詰まりを低減することができるとともに、着脱可能による収納装置や外扉のメンテナンスを容易に行うことができる。
【００１４】
請求項２に記載の発明は、請求項１の発明にさらに、搬出通路カバーは断面略コ字状に形成されているものであり、外扉裏面に取付けられた機能部品が搬出通路カバーで覆われて、通路外に区画されるので、商品落下時に機能部品に接触するのを阻止することができる。
【００１５】
請求項３に記載の発明は、請求項１または２に記載の発明に、さらに商品取出口の前面開口部に上部を軸支され前記商品取出口内方向に開閉自在のフラップと、前記商品取出口スペースの背面となる後壁部とを備え、前記フラップが所定角度回動して開放された時、前記後壁部に前記フラップが接触して回動を阻止され、前記フラップによって前記商品取出口の上面が塞がれるものであり、外部から搬出通路内に手を入れられるのを阻止することができ防盗性を確保することができる。
【００１６】
請求項４に記載の発明は、請求項１から３のいずれか一項に記載の発明に、さらに自動販売機本体の上下位置には外扉が引出し可能にレールが形成され、前記レールは上位置の一側と下位置の他側とにのみ形成され、前記外扉が引出し可能に形成されているものであり、引き出し性を確保しながら、製造コストの低減を図ることができる。
【００１７】
以下、本発明の実施形態について、図面を参照しながら説明する。なおこの実施の形態によってこの発明が限定されるものではない。
【００１８】
（実施の形態１）
図１は本発明の実施の形態１による自動販売機の側面断面図、図２は同実施の形態の自動販売機図の外扉側面断面詳細図、図３は同実施の形態の自動販売機の商品収納庫を引き出した時の断面図である。
【００１９】
図１から図３において、外扉１の前面に複数個の商品展示用開口部２が設けられ、透明板３を介して商品サンプルシート４が着脱自在に保持されている。又、外扉１下部には商品取り出し用の開口部５が設けられ、開口部５にフラップ６がその上部を内側に回動自在軸支されている。フラップ６の後方には側壁部７と後壁部８より構成される商品取出口９が形成され、後壁部８はフラップ６が開時に当接して開角度を規制する面８ａと商品を後方に逃がす凹部８ｂで構成されている。外扉１後方には、天板１０と底板１１が前支柱１２と後支柱１３により連結された商品収納部が設けられ、天板１０と底板１１に外扉１が連結されている。前支柱１２と後支柱１３には、商品１４が収納された上下に複数個の収納装置１５が着脱自在に固定されている。収納装置１５の前方の商品の搬出通路１６は断面略コ字状の搬出通路カバー１７により囲われており、搬出通路カバー１７は、その下端１７ａは商品取出口９の側壁部７の内側に挿入され、その上部に設けられた異型穴１７ｂを天板１０に設けられた突起１１に引っ掛けることにより、着脱自在に係止されている。天板１０の右側面１０ａ及び底板１１の左側面１１ａにそれぞれ伸縮自在なレール１８の可動部１８ａが固定されており、固定部１８ｂは自動販売機本体１９に固定されている。
【００２０】
以上のように構成された自動販売機について、以下その動作を説明する。
【００２１】
収納装置１５より搬出された商品１４は、搬出通路カバー１７にガイドされ商品取出口９に落下する。フラップ６を開くと商品１４はそれに押され凹部８ｂに収納され、フラップ６が適度な角度まで開いた状態で商品を取り出す。また、フラップ６は開角度を規制する面８ａにあたりそれ以上開かないため、手が収納装置１５まで届くことはない。
【００２２】
商品収納時は、外扉１を引き出し収納装置１５に商品１４を収納する。また、サンプルシート４の着脱時や収納装置１５のメンテナンス時は、搬出通路カバー１７をその異型穴１７ｂを突起１１から外し、その下端１７ａを商品取出口９の側壁部７より抜き出すことにより取り外す。
【００２３】
したがって、搬出通路１６は着脱可能な搬出通路カバー１７で覆われるため、搬出通路内での商品詰まりを低減することができるとともに、着脱可能による収納装置や外扉のメンテナンスを容易に行うことができる。
【００２４】
また、搬出通路カバー１７は、断面略コ字状に形成されているものであり、外扉裏面に取付けられた機能部品が搬出通路カバーで覆われて、通路外に区画されるので、商品落下時に機能部品に接触するのを阻止することができる。
【００２５】
また、商品取出口の前面開口部に上部を軸支され前記商品取出口内方向に開閉自在のフラップと、前記商品取出口スペースの背面となる後壁部とを備え、前記フラップが所定角度回動して開放された時、前記後壁部に前記フラップが接触して回動を阻止され、前記フラップによって前記商品取出口の上面が塞がれることにより、外部から搬出通路内に手を入れられるのを阻止することができ防盗性を確保することができる。
【００２６】
また、自動販売機本体の上下位置には外扉１が引出し可能にレール１８が形成され、レール１８は天板１０の右側面１０ａ及び底板１１の左側面１１ａにそれぞれ伸縮自在なレール１８の可動部１８ａが固定されており、固定部１８ｂは自動販売機本体１９に固定されているので、引き出し性を確保しながら、製造コストの低減を図ることができる。
【産業上の利用可能性】
【００２７】
以上のように、本発明にかかる自動販売機は、製造コストを低減するとともに、商品詰まり、メンテナンス性および防盗性を向上させたため、あらゆる種類の自動販売機に適用することができる。
【図面の簡単な説明】
【００２８】
【図１】本発明の実施の形態１による自動販売機の側面断面図
【図２】同実施の形態の自動販売機図の外扉側面断面詳細図
【図３】同実施の形態の自動販売機の商品収納庫を引き出した時の断面図
【図４】従来の自動販売機の側面断面図
【符号の説明】
【００２９】
１    外扉
６    フラップ
８    後壁部
９    商品取出口
１４  商品
１５  収納装置
１６  搬出通路
１７  搬出通路カバー
１８  レール
１９  本体
【図１】
2009266163.tif 000003
【図２】
2009266163.tif 000004
【図３】
2009266163.tif 000005
【図４】
2009266163.tif 000006